(57)【要約】【課題】別段の部品を増やすことなく片口金蛍光灯のアマルガムを保温することができる照明装置を提供する。【解決手段】照明装置１Ａは、発光管２０の両端部が１つの口金２３に保持されるとともに、そのうちの一方の端部にアマルガム２６が配設された片口金蛍光灯２と、この片口金蛍光灯２の口金２３が接続されるソケット４と、下方に開口し、その開口内に片口金蛍光灯２を収容する筐体３と、ソケット４を介して片口金蛍光灯２に給電する点灯装置５Ａとを備えている。筐体３には、当該筐体３の内外を連通し、内部にソケット４が嵌め込まれる貫通穴３１ａが設けられており、点灯装置５Ａは、筐体３の外側に貫通穴３１ａを塞ぐ状態で配設されている。【選択図】図１
2008047436.tif 000002
【特許請求の範囲】
【請求項１】
発光管の両端部が１つの口金に保持されるとともに、そのうちの一方の端部にアマルガムが配設された片口金蛍光灯と、この片口金蛍光灯の口金が接続されるソケットと、下方に開口し、その開口内に前記片口金蛍光灯を収容する筐体と、前記ソケットを介して前記片口金蛍光灯に給電する点灯装置とを備えた照明装置において、
前記筐体には、当該筐体の内外を連通し、内部に前記ソケットが嵌め込まれる貫通穴が設けられており、前記点灯装置は、前記筐体の外側に前記貫通穴を塞ぐ状態で配設されていることを特徴とする照明装置。
【請求項２】
前記ソケットは、前記点灯装置に直接取り付けられていることを特徴とする請求項１に記載の照明装置。
【発明の詳細な説明】
【技術分野】
【０００１】
本発明は、片口金蛍光灯を光源とする照明装置に関するものである。
【背景技術】
【０００２】
従来、図７に示すように、片口金蛍光灯２を光源とする照明装置１０が知られている（例えば、特許文献１参照）。この照明装置１０では、下方に開口する筐体３０の内部にソケット４０が設けられており、このソケット４０に片口金蛍光灯２の口金２３が接続された状態で片口金蛍光灯２が筐体３０に収容されるようになっている。また、筐体３０の内部には、ソケット４０を介して片口金蛍光灯２に給電する点灯装置５０が配設されている。
【０００３】
前記片口金蛍光灯２は、図４に示すように、発光管２０の両端部が１つの口金２３に保持されたものである。具体的には、発光管２０は、直線上に延びる一対の直管部２１と、これらの直管部２１の一端部同士を連結するとともに直管部２１の内部同士を連通する連通部２２とを有している。そして、一対の直管部２１の他端部が発光管２０の両端部となっており、これらの他端部が口金２３に保持されている。また、一対の直管部２１の他端部には、図６に示すようなフィラメント２４がそれぞれ設けられている。なお、図５に示すように、連通部２２の配設位置および形状は適宜変更可能である。
【０００４】
前記発光管２０の一方の端部、すなわち一方の直管部２１の他端部には、図６に示すように、小径の収納部２１ａが形成されており、この収納部２１ａ内にアマルガム２６が配設されている。なお、収納部２１ａは、内部にアマルガム２６が配設された状態で無垢棒２５によって閉塞されている。
【０００５】
アマルガム２６は、常温で固体であるが温度上昇とともに溶融することにより発光管２０に封入された水銀を吸着するものである。これにより、高温となった場合でも、発光管２０内の水銀蒸気圧が適正な値に維持されて、片口金蛍光灯２から放射される光束の低下が防止される。
【特許文献１】特開２００１−１２６５０２号公報
【発明の開示】
【発明が解決しようとする課題】
【０００６】
前記のような照明装置１０においては、限られた設置スペースの中で高出力を得るために、片口金蛍光灯２の大きさを変えないで筐体３０を小さくしたり、筐体３０の大きさを変えないで片口金蛍光灯２を大きくしたりしたいという要望がある。
【０００７】
そこで、点灯装置５０を筐体３０の外側に配設することが考えられるが、このようにすると点灯装置５０からソケット４０に電気配線をするために、筐体３０に当該筐体３０の内外を連通する貫通穴を設ける必要がある。
【０００８】
しかしながら、アマルガム２６の特性を生かして片口金蛍光灯２を安定して点灯させるためにはアマルガム２６を暖めておくことが好ましいのに対し、前記のように貫通穴を設けたのでは、筐体３０内の空気が当該貫通穴から流出してしまい、筐体３０内の温度が比較的に短時間で低下することになり、アマルガム２６を暖めておくことが困難になる。
【０００９】
ここで、貫通穴を塞ぐための別部品を設けることも考えられるが、このような別部品を設けることはコスト面から好ましくない。
【００１０】
本発明は、このような事情に鑑み、別段の部品を増やすことなく片口金蛍光灯のアマルガムを保温することができる照明装置を提供することを目的とする。
【課題を解決するための手段】
【００１１】
請求項１の発明は、発光管の両端部が１つの口金に保持されるとともに、そのうちの一方の端部にアマルガムが配設された片口金蛍光灯と、この片口金蛍光灯の口金が接続されるソケットと、下方に開口し、その開口内に前記片口金蛍光灯を収容する筐体と、前記ソケットを介して前記片口金蛍光灯に給電する点灯装置とを備えた照明装置において、前記筐体には、当該筐体の内外を連通し、内部に前記ソケットが嵌め込まれる貫通穴が設けられており、前記点灯装置は、前記筐体の外側に前記貫通穴を塞ぐ状態で配設されていることを特徴とするものである。
【００１２】
請求項２の発明は、請求項１に記載の照明装置において、前記ソケットは、前記点灯装置に直接取り付けられていることを特徴とするものである。
【発明の効果】
【００１３】
請求項１の発明によれば、点灯装置を筐体の外側に配設したから、従来の照明装置に比べ、片口金蛍光灯の大きさを変えないで筐体を小さくしたり、筐体の大きさを変えないで片口金蛍光灯を大きくしたりすることができるようになる。しかも、筐体に設けた貫通穴を点灯装置で塞ぐようにしたから、別段の部品を増やすことなく、筐体内の空気の流出を防いで筐体内の温度が低下することを抑制することができる。さらに、発熱部品である点灯装置で塞がれる貫通穴内にソケットを嵌め込むようにしたから、発光管の一方の端部に配設されたアマルガムをソケットおよび口金を介して点灯装置の発熱を利用して暖めることができる。そして、このようにしてアマルガムが保温されることによって、片口金蛍光灯を安定して点灯させることができるようになる。
【００１４】
請求項２の発明によれば、点灯装置からソケットに良好に熱を伝えることができる。
【発明を実施するための最良の形態】
【００１５】
以下、本発明を実施するための最良の形態について、図面を参照しながら詳細に説明する。
【００１６】
図１および図２に、本発明の一実施形態に係る照明装置１Ａを示す。なお、本明細書では、図１の左右方向（図２では紙面と直交する方向）を左右方向といい、特に右側を右方、左側を左方というとともに、図１の奥行き方向（図２では左右方向）を前後方向といい、特に手前側を前方、奥側を後方という。
【００１７】
前記照明装置１Ａは、光源である４つの片口金蛍光灯２と、これらの片口金蛍光灯２を左右方向に並んだ状態で収容する筐体３と、左右方向に並んで配設される４つのソケット４と、筐体３の上方外側に左右方向に並んで配設される２つの点灯装置５Ａとを備えている。
【００１８】
前記片口金蛍光灯２の具体的な構成は、背景技術で説明したもの（図４〜図６参照）と同じであるため、詳細な説明は省略する。
【００１９】
前記筐体３は、例えば天井等に取り付けられるものであり、平面視で一辺が約３０ｃｍの正方形をなす天井壁３１と、この天井壁３１の周縁部から下方に延びる周壁３２とを有していて、下方に開口している。そして、片口金蛍光灯２は、口金２３がソケット４に接続されるとともに、発光管２０が天井壁３１に設けられた係止部３３で係止されることにより、周壁３２で囲まれて形成される開口３５内に収容されるようになっている。
【００２０】
また、筐体３の内側面、すなわち天井壁３１の下面および周壁３２の内周面は、塗料等により白色にされていて、片口金蛍光灯２から放射される光が筐体３の内側面で反射されるようになっている。
【００２１】
さらに、天井壁３１の後側位置には、左右方向に並ぶ４つの貫通穴３１ａが設けられていて、この貫通穴３１ａによって筐体３の内外が連通している。この貫通穴３１ａの大きさは、平面視でソケット４よりも一回り大きく設定されており、貫通穴３１ａの内部には、ソケット４が嵌め込まれるようになっている。
【００２２】
前記各ソケット４は、片口金蛍光灯２の口金２３が個々に接続されるものである。各ソケット４は、両側面の上端部に設けられた固定部４１が点灯装置５Ａの下面にねじ止めされることによって、当該ソケット４の上面が点灯装置５Ａの下面に当接した状態で、点灯装置５Ａに取り付けられるようになっている。
【００２３】
前記点灯装置５Ａのうち右側の点灯装置５Ａは、右側の２つの片口金蛍光灯２にソケット４を介して給電するものであり、左側の点灯装置５Ａは、左側の２つの片口金蛍光灯２にソケット４を介して給電するものである。各点灯装置５Ａには、例えば整流回路、平滑回路、インバータ回路等が設けられている。
【００２４】
また、点灯装置５Ａは、右側２つの貫通穴３１ａまたは左側２つの貫通穴３１ａを下面で塞ぐことが可能な大きさを有していて、両側面の下端部に設けられた固定部５１が筐体３の天井壁３１の上面にねじ止めされることによって、下面が２つの貫通穴３１ａを塞ぐ状態で筐体３に取り付けられるようになっている。なお、点灯装置５Ａは、固定部５１が筐体３に設けられた固定穴にブリッジ挿入されることによって筐体３に固定されるようになっていてもよい。
【００２５】
本実施形態の照明装置１Ａでは、点灯装置５Ａを筐体３の外側に配設したから、従来の照明装置に比べ、片口金蛍光灯２の大きさを変えないで筐体３を小さくしたり、筐体３の大きさを変えないで片口金蛍光灯２を大きくしたりすることができるようになる。しかも、筐体３に設けた貫通穴３１ａを点灯装置５Ａで塞ぐようにしたから、別段の部品を増やすことなく、筐体３内の空気の流出を防いで筐体３内の温度が低下することを抑制することができる。さらに、発熱部品である点灯装置５Ａで塞がれる貫通穴３１ａ内にソケット４を嵌め込むようにしたから、発光管２０の一方の端部に配設されたアマルガム２６をソケット４および口金２３を介して点灯装置５Ａの発熱を利用して暖めることができる。そして、このようにしてアマルガム２６が保温されることによって、片口金蛍光灯２を安定して点灯させることができるようになる。
【００２６】
ここで、本実施形態では、ソケット４を点灯装置５Ａの下面に直接取り付けるようにしているが（いわゆる直付け）、ソケット４を筐体３の天井壁３１の下面に取り付けるようにしてもよい。ただし、本実施形態のようにすれば、点灯装置５Ａからソケット４に良好に熱を伝えることができる。
【００２７】
なお、前記実施形態では、筐体３に４つの貫通穴３１ａが設けられているが、右側の２つの貫通穴３１ａおよび左側の２つの貫通穴３１ａがそれぞれ連続していて、２つの貫通穴となっていてもよい。
【００２８】
また、前記実施形態では、２つの点灯装置５Ａを左右に並べた状態で筐体３の天井壁３１の上面に取り付けるようにしているが、図３に示すように、点灯装置５Ａと同じ構成の点灯装置本体５２を２つ前後に並べるとともにこれらをケース５３に収容したものを点灯装置５Ｂとし、この点灯装置５Ｂを筐体３の天井壁３１の上面に取り付けるようにして、１つの点灯装置５Ｂで４つの貫通穴３１ａを全て塞ぐようにしてもよい。さらに、この場合は、筐体３に設けられる貫通穴３１ａは、１つでもよい。
【００２９】
また、片口金蛍光灯２の数量は、４つに限られず適宜選定可能である。
【００３０】
さらには、筐体３の天井壁３１の形状は、平面視で正方形状である必要はなく、それ以外の多角形状または円形状等であってもよい。そして、片口金蛍光灯２の発光管２０の形状も、筐体３の形状に合わせて円弧状等になっていてもよい。
【図面の簡単な説明】
【００３１】
【図１】本発明の一実施形態に係る照明装置の分解斜視図である。
【図２】照明装置の断面側面図である。
【図３】変形例の照明装置の斜視図である。
【図４】片口金蛍光灯の一例を示す図であり、（ａ）は平面図、（ｂ）は側面図である。
【図５】片口金蛍光灯の他の一例を示す図であり、（ａ）は平面図、（ｂ）は側面図である。
【図６】片口金蛍光灯の発光管の一方の端部の断面側面図である。
【図７】従来の照明装置の下面図である。
【符号の説明】
【００３２】
１Ａ，１Ｂ  照明装置
２    片口金蛍光灯
２０  発光管
２３  口金
２６  アマルガム
３    筐体
３１ａ  貫通穴
４    ソケット
５Ａ，５Ｂ  点灯装置
【図１】
2008047436.tif 000003
【図２】
2008047436.tif 000004
【図３】
2008047436.tif 000005
【図４】
2008047436.tif 000006
【図５】
2008047436.tif 000007
【図６】
2008047436.tif 000008
【図７】
2008047436.tif 000009